(57)【要約】【課題】現金管理装置の在高の点検等の際、全ての収納庫の開閉を行うことなく、必要な収納庫のみを示すことができるようにする。【解決手段】本発明の現金管理装置は、複数の収納庫と、各収納庫の付近に設けられた複数の表示部と、収納庫が開閉されるときに、当該収納庫に収納されている現金の在高を検出する在高検出手段と、在高検出手段による各収納庫の検出結果を記憶する記憶手段と、精査を行う際、記憶手段の各収納庫の検出結果に基づいて、複数の収納庫のうち在高確認を行わせる収納庫を判別する判別手段と、判別手段による判別結果に基づいて、在高確認を行わせる収納庫の表示部を出力させる出力制御手段と、少なくとも在高確認を行わせる収納庫の開閉がなされ、在高検出手段により検出された在高を精査結果とする精査結果作成手段を備える。【選択図】      図９
2014160331.tif 000002
【特許請求の範囲】
【請求項１】
現金を収納する複数の収納庫と、
上記複数の収納庫のそれぞれの付近に設けられた複数の表示部と、
上記収納庫が開閉されるときに、当該収納庫に収納されている現金の在高を検出する在高検出手段と、
上記在高検出手段による上記各収納庫の検出結果を記憶する記憶手段と、
精査を行う際、上記記憶手段に記憶される上記各収納庫の検出結果に基づいて、上記複数の収納庫のうち、在高確認を行わせる収納庫を判別する判別手段と、
上記判別手段による判別結果に基づいて、在高確認を行わせる収納庫の上記表示部を出力させる出力制御手段と、
少なくとも、上記在高確認を行わせる収納庫の開閉がなされ、上記在高検出手段により検出された在高を精査結果とする精査結果作成手段と
を備えることを特徴とする現金管理装置。
【請求項２】
上記判別手段が、上記記憶手段を参照して、現金が収納されている収納庫を、上記在高確認を行わせる収納庫とするものであることを特徴とする請求項１に記載の現金管理装置。
【請求項３】
上記精査結果作成手段が、上記判別手段により判別された、現金が収納されていない収納庫の精査結果を在高がないものとすることを特徴とする請求項２に記載の現金管理装置。
【請求項４】
上記複数の収納庫のうち開閉された収納庫を検出する開閉検出手段を備え、
上記記憶手段が、上記開閉検出手段により検出された開閉結果と、上記精査結果作成手段により作成された各収納庫の精査結果とを記憶するものであり、
上記判別手段が、
上記記憶手段を参照して、前回の精査から今回の精査までの間に開閉された収納庫を、上記在高確認を行わせる収納庫とする開閉確認部と、
上記記憶手段を参照して、前回の精査から今回の精査までの間に開閉がなされなかったものであって、前回の精査が正しくなされなかった収納庫を、上記在高確認を行わせる収納庫とする前回精査確認部と
を有する
ことを特徴とする請求項１に記載の現金管理装置。
【請求項５】
上記精査結果作成手段が、前回の精査から今回の精査までの間に開閉がなされなかったものであって、前回の精査が正しくなされた収納庫の精査結果を前回の精査結果とすることを特徴とする請求項４に記載の現金管理装置。
【請求項６】
上記出力制御手段が、在高確認を行わせる収納庫の上記表示部を点灯又は点滅させるものであることを特徴とする請求項１〜５のいずれかに記載の現金管理装置。
【請求項７】
上記出力制御手段が、在高確認を行わせる収納庫の上記表示部を、所定の点滅パターンで点滅させるものであることを特徴とする請求項１〜５のいずれかに記載の現金管理装置。
【請求項８】
上記出力制御手段が、上記在高検出手段により上記収納庫の在高が検出されると、上記表示部の出力を停止させるものであることを特徴とする請求項１〜７のいずれかに記載の現金管理装置。
【請求項９】
操作表示手段と、
上記複数の収納庫のそれぞれに鍵をかける鍵機構と、
少なくとも、上記在高確認を行わせる収納庫を含む鍵解除画面を上記操作表示手段に表示させる表示制御手段と
を備えることを特徴とする請求項１〜８のいずれかに記載の現金管理装置。
【発明の詳細な説明】
【技術分野】
【０００１】
本発明は、現金管理装置に関し、例えば、金融機関等の店舗において現金を収納管理する現金管理装置に適用し得るものである。
【背景技術】
【０００２】
例えば、銀行等の金融機関は、各店舗において、現金の入出金管理や店舗内の現金在高を管理する出納機を有している。例えば、係員が出納機に入金を行う際、出納機が満杯であり現金が入りきらない場合、係員は現金管理装置（以下、現金バスともいう）に現金を収納（保管）しておく（特許文献１参照）。
【０００３】
現金管理装置は、小束紙幣や棒金を金種毎に収納する複数段の収納庫を有している。現金が出納機に入りきれない場合、係員は紙幣を束ねて小束紙幣にして又は硬貨を包んで棒金にした後、係員が現金管理装置の収納庫を開いて、係員が小束紙幣又は棒金を収納庫に収納する。
【０００４】
従来、現金管理装置は、各収納庫に収納されている小束紙幣又は棒金の数量を検出する小束検出センサ又は棒金検出センサを有している。小束検出センサ又は棒金検出センサは、スライド式の収納庫が一度開けられ、その後収納庫が閉められるまでの間に、収納庫に収納されている小束紙幣又は棒金の数量を検出する。
【０００５】
そのため、係員が現金管理装置の現金在高を点検（精査）する場合、係員は全ての収納庫を開閉している。
【先行技術文献】
【特許文献】
【０００６】
【特許文献１】特開２０１２−０８９１７２号公報
【発明の概要】
【発明が解決しようとする課題】
【０００７】
しかしながら、現金管理装置において、各収納庫はロック機構（例えば電子ロック機構等）による鍵がかかっている。そのため、現金管理装置の在高点検の際、係員が全ての収納庫について１つずつ解錠し、更に全ての収納庫を開閉動作させること必要である。この作業は係員にとって非常に手間がかかるものであり、係員の負担も大きいという問題が生じ得る。
【０００８】
また、従来、各収納庫のロック機構（例えば電子ロック機構等）の故障時のために、現金管理装置は物理的な鍵を有している。この物理的な鍵は全ての収納庫を解錠することができる。従って、現金管理装置の在高点検の際、物理的な鍵で収納庫を解錠することも可能である。しかし、この場合、全ての収納庫が解錠してしまう。そのため、係員はどの収納庫の開閉をしたかを覚えておくことが必要であった。その結果、係員の負担が大きいという問題が生じ得る。
【０００９】
そのため、現金在高の点検等の際に、全ての収納庫の開閉を行うことなく、必要な収納庫のみを示すことができる現金管理装置が求められている。 
【課題を解決するための手段】
【００１０】
かかる課題を解決するために、本発明は、（１）現金を収納する複数の収納庫と、（２）複数の収納庫のそれぞれの付近に設けられた複数の表示部と、（３）収納庫が開閉されるときに、当該収納庫に収納されている現金の在高を検出する在高検出手段と、（４）在高検出手段による各収納庫の検出結果を記憶する記憶手段と、（５）精査を行う際、記憶手段に記憶される各収納庫の検出結果に基づいて、複数の収納庫のうち、在高確認を行わせる収納庫を判別する判別手段と、（６）判別手段による判別結果に基づいて、在高確認を行わせる収納庫の表示部を出力させる出力制御手段と、（７）少なくとも、在高確認を行わせる収納庫の開閉がなされ、在高検出手段により検出された在高を精査結果とする精査結果作成手段とを備えることを特徴とする現金管理装置である。
【発明の効果】
【００１１】
本発明によれば、現金在高の点検等の際に、全ての収納庫の開閉を行うことなく、必要な収納庫のみを知らせることができる。
【図面の簡単な説明】
【００１２】
【図１】実施形態に係る現金処理システムの全体構成を示す構成図である。
【図２】実施形態に係る出納機の構成を示す構成図である。
【図３】実施形態に係る現金バス装置の外観構成を示す構成図である。
【図４】小束収納庫としての収納庫の構成を示す構成図である。
【図５】棒金収納庫としての収納庫の構成を示す構成図である。
【図６】実施形態に係る現金バス装置の内部構成を示す構成図である。
【図７】実施形態の収納庫に収納される小束紙幣を検知するセンサ群の一例を示す構成図である。
【図８】実施形態の収納庫に収納される棒金を検知するセンサ群の一例を示す構成図である。
【図９】第１の実施形態に係る制御部の主な機能を説明する機能ブロック図である。
【図１０】第１の実施形態の現金バス装置における現金在高の確認処理を示すフローチャートである。
【図１１】第２の実施形態に係る制御部の主な機能を説明する機能ブロック図である。
【図１２】第２の実施形態の現金バス装置における現金在高の確認処理を示すフローチャートである。
【発明を実施するための形態】
【００１３】
（Ａ）第１の実施形態
以下では、本発明の現金管理装置の第１の実施形態を、図面を参照しながら詳細に説明する。
【００１４】
（Ａ−１）第１の実施形態の構成
（Ａ−１−１）現金処理システムの全体構成
図１は、実施形態に係る現金処理システムの全体構成を示す構成図である。図１において、実施形態に係る現金処理システム１００は、現金処理装置としての出納機２０と、現金管理装置としての現金バス装置１０とを有する。
【００１５】
図１の現金処理システム１００は、例えば銀行等の金融機関の店舗内に設けられるものである。現金処理システム１００は、店舗において複数台の出納機２０を備えるようにしても良い。またこの場合、複数台の出納機２０がそれぞれ、１台又は複数台の現金バス装置と接続するものであっても良い。
【００１６】
出納機２０は、金融機関の店舗内での現金の出金又は入金を管理するものである。例えば、出納機２０は、金融機関の店舗において接客用カウンタの後方等のようにお客から離れた位置に設置される。また、出納機２０は、それぞれ対応する現金バス装置１０に保管される現金在高を管理する。
【００１７】
現金バス装置１０は、所定枚数の紙幣を紙帯で施封した小束紙幣（以下単に小束ともいう）や、所定枚数単位の硬貨を棒状に重ねて包んだ棒金を収納するものである。例えば、現金バス装置１０は、金融機関の係員に使用されるものであり、店舗の接客カウンタに近い位置に配置される。
【００１８】
現金バス装置１０は、それぞれ対応する出納機２０−１及び２０−２の制御により現金在高が管理される。
【００１９】
例えば、係員が現金バス装置１０に現金を収納又は取り出す場合、係員が出納機２０において金種毎の収納額又は取り出し額を入力する。これにより、出納機２０は、現金バス装置１０の収納又は取り出し内容を示す通番発行を行う。係員は、現金バス装置１０において、発行された通番に基づいて所定入力を行う。そして、現金管理装置は、入力された通番に基づいて、金種に対応する収納庫を表示する等の誘導処理を行う。これにより、現金バス装置１０への現金の収納又は取り出しが可能となる。
【００２０】
（Ａ−１−２）出納機２０の構成
図２は、実施形態に係る出納機２０の構成を示す構成図である。
【００２１】
図２において、実施形態に係る出納機２０は、紙幣入出金機２０１、施封小束支払機２０２、紙幣補充回収機２０３、新券支払機２０４、棒金支払機２０５、硬貨入出金機２０６、現金外ポスト２０７、制御装置２０８、認証プリンタ２０９、ディスプレイ２１０、キーボード２１１を有する。
【００２２】
出納機２０は、上述した複数の構成要素を備えるものである。出納機２０の構成要素の配列は、図２に例示するものに限定されない。出納機２０の構成要素の全部又は一部の配置は、必要に応じて変えるようにしても良い。
【００２３】
また、出納機２０は、各構成要素の間で紙幣を搬送する搬送路を内部に備える。例えば、施封小束支払機２０２、紙幣補充回収機２０３及び紙幣入出金機２０１は、装置間で紙幣を搬送する搬送路を内部に備える。これにより、例えば紙幣入出金機２０１に入金された紙幣を、施封小束支払機２０２や紙幣補充回収機２０３に搬送することができる。
【００２４】
制御装置２０８は、出納機２０全体の機能を制御するものである。制御装置２０８は、例えば、ＣＰＵ、ＲＯＭ、ＲＡＭ、ＥＥＰＲＯＭ、入出力インタフェース、通信部等を有して構成されるものである。制御装置２０８は、入力手段としてのキーボード２１１から入力情報を取得し、出納機２０の各種機能を制御する。
【００２５】
紙幣入出金機２０１は、１枚単位で紙幣を入金又は出金するものである。また、紙幣入出金機２０１は、複数枚の紙幣を縦置き又は横置きに収納する紙幣カセットを有している。紙幣入出金機２０１は、紙幣カセットに収納された紙幣を１枚ずつ装置内部の搬送路を介して施封小束支払機２０２に搬送する。これにより、紙幣入出金機２０１の紙幣カセットに収納された紙幣を小束に施封することができる。
【００２６】
施封小束支払機２０２は、金種別の紙幣を所定枚数（例えば１００枚）毎に施封して小束にした状態で収納したり又は出金したりするものである。施封小束支払機２０２は、紙幣入出金機２０１から搬送された紙幣を所定枚数ずつ計数し、所定枚数の紙幣を金種別に施封する。
【００２７】
紙幣補充回収機２０３は、例えばＡＴＭ等の現金自動預払機の現金カセットに紙幣を補充したり又は現金カセットから現金を回収したりするものである。例えば、紙幣補充回収機２０３は、現金自動預払機から脱着した現金カセットを内部にセットすることができる。そして、紙幣補充回収機２０３は、制御装置２０８の制御を受けて、セットされた現金カセットに紙幣を補充したり又は回収したりする。
【００２８】
新券支払機２０４は、各金種の新券を出金するものである。
【００２９】
棒金支払機２０５は、金種別の硬貨を所定枚数毎に棒状に重ねて、例えば樹脂フィルム等で包んだ棒金を出金するものである。例えば、棒金支払機２０５は、複数の硬貨を収納する収納部を有している。そして、棒金支払機２０５は、制御装置２０８の制御を受けて、収納部に収納される硬貨を計数し、所定枚数の硬貨を重ねて樹脂フィルム等で包んで棒金を出金する。
【００３０】
硬貨入出金機２０６は、１枚単位で硬貨を入金又は出金するものである。
【００３１】
現金外ポスト２０７は、例えば小切手や定期預金証書等の有価証券を取り込んで収納するものである。現金外ポスト２０７は、取り込んだ有価証券の入金処理を行う。
【００３２】
認証プリンタ２０９は、紙幣入出金機２０１、施封小束支払機２０２、紙幣補充回収機２０３、新券支払機２０４、棒金支払機２０５、硬貨入出金機２０６で行われる入金や出金などの処理内容を所定の帳票等に印字して出力するものである。
【００３３】
ディスプレイ２１０は、例えば、出納機１０における各種処理の選択メニューや、各種処理に必要な操作画面や、キーボード２１１を通じて入力された入力情報等を表示する表示手段である。
【００３４】
キーボード２１１は、利用者操作により情報を入力する入力手段である。なお、ここでは、キーボード２１１は入力手段の一例であり、入力手段はマウスやテンキー等その他入力手段を含む概念である。また、この実施形態では、ディスプレイ２１０とキーボード２１１とが物理的に異なる手段として説明するが、入力手段が例えばタッチパネル等のようにディスプレイと一体型ものであっても良い。
【００３５】
（Ａ−１−３）現金バス装置１０の構成
図３は、実施形態に係る現金バス装置１０の外観構成を示す構成図である。図３において、実施形態の現金バス装置１０は、箱型の現金バス装置本体１１、現金バス装置本体１１の内部に収納可能な複数段（図３では８段）の収納庫１２（１２（ａ）〜１２（ｃ））、操作表示部１５、プリンタ１６を有する。
【００３６】
複数段の収納庫１２（１２（ａ）〜１２（ｃ））はそれぞれ、紙幣の小束や棒金を金種別に収納するものである。各収納庫１２は、現金バス装置本体１１の内部の左右側壁に設けられたスライドレール１３に案内されてスライド開閉するものである。
【００３７】
複数段の収納庫１２のうち最も上側にある収納庫１２（ａ）は、予備収納庫である。予備収納庫としての収納庫１２（ａ）は、例えば、結束されていない紙幣、包装されていない硬貨、汚損紙幣や汚損硬貨、金券等を収納するものである。
【００３８】
収納庫１２（ａ）以外の収納庫１２（ｂ）及び収納庫１２（ｃ）は、小束や棒金を金種別に収納するものである。収納庫１２（ｂ）及び収納庫１２（ｃ）に収納される金種は、特に限定されるものではない。例えば、収納庫１２（ｂ）及び収納庫１２（ｃ）に収納される金種が予め設定されているものであっても良い。
【００３９】
例えば、図３の場合、４段の収納庫１２（ｂ）は小束を金種別に収納する小束収納庫とし、３段の収納庫１２（ｃ）は棒金を金種別に収納する棒金収納庫１２（ｃ）とする。
【００４０】
なお、小束収納庫としての収納庫１２（ｂ）や棒金収納庫としての収納庫１２（ｃ）の数は、特に限定されるものではなく任意に設定可能である。例えば、収納庫１２（ｂ）及び収納庫１２（ｃ）の全てを小束収納庫又は硬貨収納庫としても良い。また例えば、収納庫１２（ｂ）が硬貨収納庫であり、収納庫１２（ｃ）が紙幣収納庫であっても良い。
【００４１】
複数段の収納庫１２のそれぞれは、現金バス装置本体１１の内部に設けてあるロック機構２２により個別に解錠又は施錠される。それぞれの収納庫１２は、ロック機構２２により解錠されるとスライド可能となる。そして、再度、収納庫１２が現金バス装置本体１１に収めされると、収納庫１２はロック機構２２により個別に施錠される。なお、ロック機構２２は、種々のロック機構を広く適用することができ、例えば電子ロック機構（電子錠機構）等を適用することができる。
【００４２】
図４は、小束収納庫としての収納庫１２（ｂ）の構成を示す構成図である。図５は、棒金収納庫としての収納庫１２（ｃ）の構成を示す構成図である。
【００４３】
図４において、小束収納庫としての収納庫１２（ｂ）は、取っ手部３０が中央に設けられた前板部３１と、一対の側板部３２、後板部３３を有する枠体３４を有する。
【００４４】
収納庫１２（ｂ）の枠体３４には、複数の小束トレイ４０が収納可能である。例えば、図４の場合、収納庫１２（ｂ）の枠体３４内に、前後５個、左右２個の小束トレイ４０を配列させ、枠体３４が１０個の小束トレイ４０を有する場合を例示する。
【００４５】
各小束トレイ４０は、前壁部４１及び後壁部４２と、左右一対の側壁部４３と、底部４４とを有する収納部である。また、各小束トレイ４０は、前壁部４１と後壁部４２との間に、平行を維持しながら前後に移動可能な札押さえ板４６を有する。これにより、札押さえ板４６が小束を付勢しながら小束を縦置きに収納することができる。
【００４６】
また、トレイ本体４５の底部４４には、札押さえ板４６を案内するスライド溝４７と、小束のセット検知用のセンサ溝４８とがある。なお、各小束トレイ４０は、それぞれ予め設定された単一金種の小束のみが収納でできるように決められている。
【００４７】
また、各束収納凹部４９には、それぞれの側壁部４３の上面に、収納対象の金種を目視可能に明示する金種明示部５０が設けられている。各小束トレイ４０に収納すべき設定金種を示す収納金種データは、予め設定されて記憶部２６に記憶されることになる。
【００４８】
図５において、棒金収納庫としての収納庫１２（ｃ）は、単一の金種の硬貨の棒金を収納可能なものである。収納庫１２（ｃ）の枠体３４には、複数の棒金トレイ５５が収納可能である。例えば、図５の場合、前後に６個又は５個、左右４個の棒金トレイ５５を配列させ、枠体３４が２２個の棒金トレイ５５を有する場合を例示する。
【００４９】
各棒金トレイ５５は、棒金が中心軸線を上下にした立位状態で収納されるものである。各棒金トレイ５５は、円筒を一部切り取った形状の湾曲面５６を、複数具体的には左側の３カ所と右側の３カ所と前端１カ所と後端１カ所の８カ所に有する鉛直方向に沿う壁部５７と、壁部５７の下部を閉塞する水平方向に沿う底部５８とを有している。壁部５７および底部５８は、下方に凹む上方開口形状の棒金収納凹部５９を構成している。湾曲面５６は左側の３カ所が左右方向の位置を合わせており、右側の３カ所も左右方向の位置を合わせている。左右前端の湾曲面５６は前後方向の位置を合わせており、中央前端の湾曲面５６はこれらよりも前側に配置されている。左右後端の湾曲面５６は前後方向の位置を合わせており、中央後端の湾曲面５６はこれらよりも後側に配置されている。
【００５０】
底部５８には、棒金を載置させる載置台部６０がある。また、各棒金トレイ５５の棒金収納凹部５９は、それぞれ予め設定された単一金種の棒金Ｂのみが収納されるように決められている。
【００５１】
また、各棒金トレイ５５には、それぞれの棒金収納凹部５９より外側の上面に、収納対象の金種を目視可能に明示する金種明示部６２が設けられている。各棒金トレイ５５に収納すべき設定金種を示す収納金種データは、予め設定されて記憶部２６に記憶されることになる。
【００５２】
図６は、実施形態に係る現金バス装置１０の内部構成を示す構成図である。図６に示すように、現金バス装置１０は、制御部２５、記憶部２６、操作表示部１５、プリンタ１６、警報手段１４、通信部２７、ロック機構２２、表示部２３、小束セット検知センサ６６、左端検出ラインセンサ６７、左側帯検出ラインセンサ６８、右側帯検出ラインセンサ６９、右端検出ラインセンサ７０、棒金セット検出センサ７６、棒金検出ラインセンサ７７、ロータリエンコーダ８８、全閉検出センサ９６、全開検出センサ９７を有する。
【００５３】
制御部２５は、現金バス装置１０の機能を司るものである。
【００５４】
記憶部２６は、それぞれの収納庫１２に収納される小束又は棒金の金種や数量を記憶するものである。
【００５５】
ロック機構２２は、それぞれの収納庫１２をロックする鍵機構である。例えば、ロック機構２２は、電子ロック機構等を適用することができる。
【００５６】
表示部２３は、それぞれの収納庫１２の付近に設けられたものである。表示部２３は、例えば、ロック機構２２によりロック解除がされた場合に点灯又は点滅するものである。また、表示部２３は、現金バス装置１０の在高点検の際に、制御部２５の制御を受けて、在高がある収納庫１２について点灯又は点滅を行い、在高がない収納庫１２については点灯又は点滅をしない。表示部２３は、１個の収納庫１２に対して、１個であっても良いし又は複数個であっても良い。
【００５７】
操作表示部１５は、利用者による操作入力がなされるものであり、又は装置状態や利用者に入力された入力情報を表示するものである。操作表示部１５は、利用者に対してガイダンスを表示する表示部１７と、利用者認証のためのＩＤカードを操作するカードリーダ１８と、入力手段としての操作キーボード１９とを有する。
【００５８】
プリンタ１６は、現金バス装置１０に収納される在高情報等を、紙などの媒体に印字して出力するものである。
【００５９】
警報手段１４は、例えば、警告音や警報音等を出力するものである。
【００６０】
全閉検出センサ９６は、ロック解除された収納庫１２の全閉状態を検出するものである。
【００６１】
全開検出センサ９７は、ロック解除された収納庫１２の全開状態を検出するものである。
【００６２】
図７は、実施形態の収納庫に収納される小束紙幣を検知するセンサ群の一例を示す構成図である。
【００６３】
小束セット検知センサ６６は、小束収納庫としての収納庫１２（ｂ）の各小束トレイ４０に小束紙幣が収納されたか否かのセット検知を行うものである。例えば、小束セット検知センサ６６は、収納庫１２（ｂ）の各小束トレイ４０の下部に設けられ、小束トレイ４０に収納される小束紙幣を検出するものである。小束セット検知センサ６６は、例えば光学反射方式のセンサを用いることができ、反射光を検知することで小束紙幣を検知する。
【００６４】
左端検出ラインセンサ６７、左側帯検出ラインセンサ６８、右側帯検出ラインセンサ６９及び右端検出ラインセンサ７０は、図７に示すように、収納庫１２（ｂ）の小束収納庫挿入空間形成部６５の下部の前端部に設けられる。つまり、左端検出ラインセンサ６７、左側帯検出ラインセンサ６８、右側帯検出ラインセンサ６９及び右端検出ラインセンサ７０は、開閉される収納庫１２（ｂ）の１段上の収納庫１２の下部に設けられ、収納庫１２（ｂ）の上方から下方に向けて光を放出し、その反射光の有無を検出する。これにより、左端検出ラインセンサ６７、左側帯検出ラインセンサ６８、右側帯検出ラインセンサ６９及び右端検出ラインセンサ７０は、開閉される収納庫１２の各小束トレイ４０の上側から小束紙幣を検知する。
【００６５】
左端検出ラインセンサ６７は、小束収納庫としての収納庫１２（ｂ）の左右２列の小束トレイ４０のそれぞれに収納される小束紙幣の左端位置を検出するものである。
【００６６】
左側帯検出ラインセンサ６８は、収納庫１２（ｂ）の左右２列の小束トレイ４０に収納される左側の小束紙幣の紙帯を検出するものである。小束紙幣は、小束の左右いずれの側に紙帯で束ねられている。小束紙幣が小束トレイ４０に収納される際、その紙帯が左右のいずれかに置かれることになる。左側帯検出ラインセンサ６８は、小束トレイ４０に収納される小束紙幣の紙帯が左側にある場合に、その紙帯を検出するものである。
【００６７】
右側帯検出ラインセンサ６９は、収納庫１２（ｂ）の左右２列の小束トレイ４０に収納される右側の小束紙幣の紙帯を検出するものである。
【００６８】
右端検出ラインセンサ７０は、小束収納庫としての収納庫１２（ｂ）の左右２列の小束トレイ４０のそれぞれに収納される小束紙幣の右端位置を検出するものである。
【００６９】
図８は、実施形態の収納庫に収納される棒金を検知するセンサ群の一例を示す構成図である。
【００７０】
棒金セット検出センサ７６は、棒金収納庫としての収納庫１２（ｃ）の棒金トレイ５５に収納される棒金のセットを検出するものである。例えば、棒金セット検出センサ７６は、収納庫１２（ｂ）の棒金トレイ５５の直ぐ下側となる位置に設けられ貫通孔６１を介して棒金Ｂのセット検知を行う。
【００７１】
棒金検出ラインセンサ７７は、棒金収納庫としての収納庫１２（ｃ）に収納される棒金を検出するものである。例えば、棒金検出ラインセンサ７７は、現金管理装置本体１１の各棒金収納庫１２（ｃ）が挿入される棒金収納庫挿入空間形成部７５の上部の前端部に設けられ、棒金収納庫１２（ｃ）の各棒金トレイ５５に収納される棒金の上端部を検出するものである。
【００７２】
図９は、第１の実施形態に係る制御部２５の主な機能を説明する機能ブロック図である。
【００７３】
図９において、第１の実施形態に係る制御部２５は、小束紙幣検出制御部２５１、棒金検出制御部２５２、精査制御部２５３を有する。
【００７４】
小束紙幣検出制御部２５１は、小束紙幣収納庫としての収納庫１２（ｂ）に小束紙幣が収納されているか否かを検出するものである。また、小束紙幣検出制御部２５１は、各収納庫１２（ｂ）に収納される小束紙幣の数量も検出するものである。小束紙幣検出制御部２５１は、各収納庫１２の在高の有無又は小束紙幣の数量を記憶部２６に記憶する。
【００７５】
ここで、小束紙幣検出制御部２５１による小束紙幣の検出方法及び小束紙幣の数量の検出方法を説明する。
【００７６】
小束紙幣検出制御部２５１は、小束セット検知センサ６６からのセンサ信号に基づいて、収納庫１２（ｂ）の各小束トレイ４０に小束紙幣が収納されているか否かを検出する。また、小束紙幣検出制御部２５１は、各小束トレイ４０において小束紙幣が収納されている範囲も検出する。
【００７７】
また、小束紙幣検出制御部２５１は、左側帯検出ラインセンサ６８及び右側帯検出ラインセンサ６９からのセンサ信号に基づいて、反射光量が多い部分と反射光量の少ない部分とに基づいて、１束分の小束紙幣を検出するものである。
【００７８】
さらに、小束紙幣検出制御部２５１は、左端検出ラインセンサ６７及び右端検出ラインセンサ７０のセンサ信号に基づいて、反射光量が多い紙幣部分と、紙幣がなく反射光量が少なくなる他の部分とを検出するものである。これは、小束紙幣検出制御部２５１が反射光量の多い部分と反射光量の少ない部分とを区別することで、小束紙幣検出制御部２５１が、紙幣部分の端部を検出した各受光素子の位置から小束紙幣Ｔの長さ方向の両端部の位置を検出する。
【００７９】
また、小束紙幣検出制御部２５１は、小束セット検知センサ６６からの小束紙幣の検出範囲において、左側帯検出ラインセンサ６８及び右側帯検出ラインセンサ６９による小束紙幣の検出データと、記憶部２６に記憶されている小束紙幣用の数量マスタデータ（数量マスタ情報）とを照合して、小束紙幣の数量を検出するものである。
【００８０】
例えば、数量マスタデータは、小束紙幣の紙帯部分の長さと小束紙幣の数量との対応関係を示すものであっても良いし、又は小束トレイ４０の全面積に占める小束紙幣の面積と小束紙幣の数量との対応関係を示すものであっても良い。
【００８１】
次に、棒金検出制御部２５２は、棒金収納庫としての収納庫１２（ｃ）に棒金が収納されているか否かを検出するものである。また、棒金検出制御部２５２は、各収納庫１２（ｃ）に収納されている棒金の数量も検出するものである。棒金検出制御部２５２は、各収納庫１２の在高の有無又は棒金の数量を記憶部２６に記憶する。
【００８２】
ここで、棒金検出制御部２５２による棒金の検出方法及び棒金の数量の検出方法を説明する。
【００８３】
棒金検出制御部２５２は、棒金セット検出センサ７６からのセンサ信号に基づいて、収納庫１２（ｃ）に棒金が収納されているか否かを検出する。また、棒金検出制御部２５２は、棒金セット検出センサ７６からのセンサ信号に基づいて、反射光量の多い部分と、棒金がなく反射光量が少なくなる他の部分とを区別することで、棒金が収納されている範囲を検出する。
【００８４】
棒金検出制御部２５２は、棒金検出ラインセンサ７７のセンサ信号に基づいて、反射光量が多い部分と、反射光量が少なくなる他の部分とを区別することになり、棒金の他の部分との境界位置である外周部を検出した各受光素子の位置から棒金の外周部の位置を検出する。
【００８５】
また、棒金検出制御部２５２は、棒金の反射光量から金種を識別する。例えば、棒金検出制御部２５２は、棒金検出ラインセンサ７７から反射光量の多い部分と少ない部分とに基づいて、形状、大きさ、硬貨の孔の有無を判断することができる。これにより、棒金検出制御部２５２は、棒金の金種を識別することができる。
【００８６】
さらに、棒金検出制御部２５２は、棒金セット検知センサ７６からの棒金の検出範囲において、棒金検出ラインセンサ７７の反射光量のデータと、記憶部２６の棒金用の数量マスタデータ（数量マスタ情報）とを照合することで、収納庫１２（ｃ）内の棒金の数量を検出する。
【００８７】
例えば、数量マスタデータは、閾値よりも反射光量の多い部分（つまり、棒金により反射される部分）の面積と棒金の数量との対応関係を示すものであっても良いし、又は棒金トレイ５５の全面積に占める反射光量の多い部分と棒金の数量との対応関係を示すものであっても良い。
【００８８】
精査制御部２５３は、現金バス装置１０に収納される現金の在高を確認する精査処理を制御するものである。精査制御部２５は、操作表示部１５から精査指示を受けると、現金バス装置１０の各収納庫１２に在高があるか否かを確認する。そして、収納庫１２に在高がある場合、精査制御部２５３は、その収納庫１２に設けられた表示部２３を点灯又は点滅させるものである。
【００８９】
このように、精査制御部２５３が、在高のある収納庫１２の表示部２３を点灯又は点滅させることにより、利用者は現金が収納されている収納庫１２を認識できる。そのため、利用者は、在高のある収納庫１２のみを開閉して在高確認を実施することができる。その結果、現金バス装置１０の在高確認に係る利用者負担を軽減することができる。
【００９０】
図９に示すように、精査制御部２５３は、在高確認部２５４、点灯制御部２５５、表示制御部２５６、精査結果表示部２５７を有する。
【００９１】
在高確認部２５４は、操作表示部１５から精査指示を受けると、記憶部２６を参照して、各収納庫１２に現金が収納されているか否かを確認するものである。つまり、小束紙幣検出制御部２５１及び棒金検出制御部２５２により検出された各収納庫１２の在高の検出結果は、記憶部２６に記憶される。在高確認部２５４は、記憶部２６に記憶される各収納庫１２の在高の検出結果に基づいて、各収納庫１２に在高が有るか否かを確認する。
【００９２】
点灯制御部２５５は、収納庫１２に付された表示部２３を表示制御するものである。例えば、点灯制御部２５５は、在高確認部２５４により現金が収納されている収納庫１２が確認されると、在高のある収納庫１２の表示部２３の点灯又は点滅を制御するものである。また例えば、点灯制御部２５５は、ロック解除した旨を示す収納庫１２を示すために、ロック解除した収納庫１２の表示部２３の点灯又は点滅を制御する。
【００９３】
ここで、点灯制御部２５５は、ロック解除時と在高確認時で、表示部２３の表示パターンを変えるようにしても良い。
【００９４】
例えば、ロック解除した収納庫１２を認識させる場合、点灯制御部２５５は、所定間隔（例えば１秒間隔等）で表示部２３を点滅させるようにし、また例えば、在高確認の場合、点灯制御部２５５は、ロック解除時よりも早い間隔（例えば、０．５秒間隔等）で点滅させるようにしても良い。このように、点灯制御部２５５が表示態様を変えて表示部２３を点滅させることで、視覚を通じて利用者にどの状態であるかを認識させることができる。
【００９５】
表示制御部２５６は、在高確認部２５４の確認結果に基づいて、在高のある収納庫１２を示す情報を操作表示部１５の表示部１７に表示するものである。
【００９６】
例えば、表示制御部２５６は、在高のある収納庫１２がどの収納庫１２であるかを文字表示又はグラフィック表示等で表示部１７に表示するようにしてもよい。
【００９７】
また、在高確認を行うためには、収納庫１２のロックを解除する必要がある。そこで、表示制御部２５６は、例えば、収納庫１２のロック解除を誘導する画面を表示部１７に表示するようにしても良い。
【００９８】
このとき、表示制御部２５６は、全ての収納庫１２のロックを解除する画面や、在高のある収納庫１２のみのロックを解除する画面や、又は利用者がロック解除する収納庫１２を指定できる画面等を表示部１７に表示するようにしても良い。そして、操作表示部１５を介してロック解除すべき収納庫１２が選択されると、制御部２５は、選択された収納庫１２のロックを解除する。
【００９９】
精査結果表示部２５７は、操作表示部１５の表示部１７に、精査結果を表示するものである。
【０１００】
ここで、利用者による在高確認は、収納庫１２のロックが解除された後、利用者が収納庫１２を開閉して行なう。このとき、収納庫１２が開閉されることで、各種センサ群（小束セット検知センサ６６、左端検出ラインセンサ６７、左側帯検出ラインセンサ６８、右側帯検出ラインセンサ６９、右端検出ラインセンサ７０、棒金セット検出センサ７６、棒金検出ラインセンサ７７）が当該収納庫１２に収納されている小束紙幣又は棒金の数量を金種毎に確認する。精査結果表示部２５７は、上記各種センサ群により確認された現金の金種毎の数量を表示部１７に表示する。
【０１０１】
（Ａ−２）第１の実施形態の動作
次に、第１の実施形態に係る現金バス装置１０における現金在高の確認動作を、図面を参照しながら説明する。
【０１０２】
図１０は、第１の実施形態の現金バス装置１０における現金在高の確認処理を示すフローチャートである。
【０１０３】
まず、利用者が現金バス装置１０の在高を精査する際、利用者は操作表示部１５を用いて所定の操作を行い、精査が開始する（Ｓ１０１）。
【０１０４】
例えば、利用者認証のために、利用者がＩＤカードをカードリーダ１８に挿入し、ＩＤカードリーダ１８がＩＤカードに記録されているＩＤカード情報を読み取る。制御部２５は、読み取られたＩＤカード情報に基づいて認証を行う。認証が正当である場合、制御部２５は、現金バス装置１０の利用を許可し、メニュー画面を表示部１７に表示する。利用者は、表示部１７のメニュー画面から精査開始を要求するボタンを選択することで、制御部２５は、精査を開始する等の操作方法を適用できる。
【０１０５】
制御部２５に精査開始の指示が与えられると、精査制御部２５３が記憶部２６に記憶される各収納庫１２に在高があるか否かを確認する（Ｓ１０２）。
【０１０６】
ここで、記憶部２６には、少なくとも、小束セット検知センサ６６、棒金セット検出センサ７６が収納庫１２に小束紙幣又は棒金が収納されているか否かの検出結果が記憶されている。
【０１０７】
つまり、現金バス装置１０の精査前に、利用者が小束紙幣又は棒金を現金バス装置１０に収納又は取り出しを行う場合、収納庫１２は開閉される。収納庫１２が一度開状態となると、収納庫１２の開状態から閉状態までの間に、各種センサ群（小束セット検知センサ６６、左端検出ラインセンサ６７、左側帯検出ラインセンサ６８、右側帯検出ラインセンサ６９、右端検出ラインセンサ７０、棒金セット検出センサ７６、棒金検出ラインセンサ７７）は、当該収納庫１２の在高の確認及び収納されている小束紙幣又は棒金の数量を金種毎に確認し、各収納庫１２の検出結果が記憶部２６に記憶される。精査制御部２５３は、記憶部２６に記憶されている各収納庫１２の上記検出結果を確認する。
【０１０８】
そして、精査制御部２５３は、記憶部２６を参照して、それぞれの収納庫１２に在高があるか否かを確認し、在高がある収納庫１２を特定する（Ｓ１０３）。精査制御部２５３が在高のある収納庫１２を特定すると、精査制御部２５３は、在高のある収納庫１２に対応する表示部２３を点灯又は点滅させる（Ｓ１０４）。これにより、在高のある収納庫１２を利用者に認識させることができる。
【０１０９】
精査制御部２５３は、少なくとも在高のある収納庫１２のロックを解除させるための画面を表示部１７に表示させる（Ｓ１０５）。これにより、利用者は表示部１７の表示画面を見て、ロック解除させる収納庫１２を選択できる。
【０１１０】
操作キーボード１９を介して利用者の選択指示が与えられると、精査制御部２５３は選択された収納庫１２のロックを解除する（Ｓ１０６）。ここで、収納庫１２のロックが解除された後においても、精査制御部２５３は、収納庫１２の表示部２３の点灯又は点滅を維持したままとする。
【０１１１】
収納庫１２のロックが解除されると、ロック解除した収納庫１２は開閉可能となる。利用者は、点滅又は点灯している表示部２３を頼りに、在高のある収納庫１２を認識することができる。
【０１１２】
利用者が収納庫１２を開状態にしてから収納庫１２を閉じる。収納庫１２の開状態から閉状態までに、現金バス装置１０の各種センサ群（小束セット検知センサ６６、左端検出ラインセンサ６７、左側帯検出ラインセンサ６８、右側帯検出ラインセンサ６９、右端検出ラインセンサ７０、棒金セット検出センサ７６、棒金検出ラインセンサ７７）は、当該収納庫１２の在高の確認及び収納されている小束紙幣又は棒金の数量を金種毎に確認して精査を行う（Ｓ１０７）。
【０１１３】
なお、精査制御部２５３は、収納庫１２が開状態となってから閉状態になると、当該収納庫１２の表示部２３の点灯又は点滅を止める。これにより、精査が終了した収納庫１２を利用者に認識させることができる。
【０１１４】
在高のある収納庫１２の全ての精査が終了すると、精査制御部２５３は、在高のある全ての収納庫１２の精査結果を取得する。
【０１１５】
また、Ｓ１０２において、在高のない収納庫１２について、精査制御部２５３は、在高の精査結果を「０」とする（Ｓ１０８）。
【０１１６】
精査制御部２５３は、在高のある収納庫１２については今回の精査結果を反映させ、在高のない収納庫１２については精査結果を「０」とするものを操作表示部１５の表示部１７に表示し（Ｓ１０９）、処理を終了する（Ｓ１１０）。
【０１１７】
（Ａ−３）第１の実施形態の効果
以上のように、第１の実施形態によれば、在高のある収納庫のみを表示部で点灯又は点滅させることができるため、利用者は全ての収納庫を開閉する負担がなくなる。また、第１の実施形態によれば、開閉すべき収納庫のうち、開閉して精査が終了した収納庫の表示部の点灯又は点滅を止めることにより、精査が終了したものと、精査が終了していないものとを区別して認識させることができる。その結果、重複した収納庫の開閉をなくし、かつ、利用者による操作時間が短縮できる。
【０１１８】
（Ｂ）第２の実施形態
次に、本発明の現金管理装置の第２の実施形態を、図面を参照しながら詳細に説明する。
【０１１９】
（Ｂ−１）第２の実施形態の構成
第２の実施形態は、現金バス装置における在高確認処理の動作が、第１の実施形態と異なる。具体的には、現金バス装置の制御部の精査制御部の処理が、第１の実施形態と異なる。
【０１２０】
従って、第２の実施形態では、現金バス装置の制御部の精査制御部の処理の詳細を説明する。
【０１２１】
なお、出納機及び現金バス装置の構成は、第１の実施形態と同じものを適用することができる。そのため、第２の実施形態においても、第１の実施形態の図１〜図８を用いて説明する。
【０１２２】
図１１は、第２の実施形態に係る制御部２５の主な機能を説明する機能ブロック図である。
【０１２３】
図１１において、実施形態に係る制御部２５は、小束紙幣検出制御部２５１、棒金検出制御部２５２、精査制御部５５３を有する。
【０１２４】
小束紙幣検出制御部２５１は、第１の実施形態と同様に、小束紙幣収納庫としての収納庫１２（ｂ）に小束紙幣が収納されているか否かを検出するものである。また、小束紙幣検出制御部２５１は、各収納庫１２（ｂ）に収納される小束紙幣の数量も検出するものである。小束紙幣検出制御部２５１は、各収納庫１２の在高の有無又は小束紙幣の数量を記憶部２６に記憶する。
【０１２５】
棒金検出制御部２５２は、第１の実施形態と同様に、棒金収納庫としての収納庫１２（ｃ）に棒金が収納されているか否かを検出するものである。また、棒金検出制御部２５２は、各収納庫１２（ｃ）に収納されている棒金の数量も検出するものである。棒金検出制御部２５２は、各収納庫１２の在高の有無又は棒金の数量を記憶部２６に記憶する。
【０１２６】
精査制御部５５３は、現金バス装置１０に収納される現金の在高を確認する精査処理を制御するものである。精査制御部５５３は、操作表示部１５から精査指示を受けると、今回の精査前に開閉を行った収納庫１２があるか否かを確認するものである。
【０１２７】
そして、今回の精査前に開閉を行った収納庫について、精査制御部５５３は、当該収納庫１２に対応する表示部２３の点灯又は点滅を行うものとする。
【０１２８】
また、今回の精査前に開閉を行っていない収納庫について、精査制御部５５３は、前回の精査結果が正当であるか否かを判断する。そして、前回の精査結果が正しいものである場合、精査制御部５５３は前回の精査結果を用いることとし、前回の精査結果が正しくない場合、精査制御部５５３は、当該収納庫１２の表示部２３を点灯又は点滅させるものである。
【０１２９】
このように、今回の精査前に、開閉がなされた収納庫１２は現金の在高が変わっている可能性がある。そこで、精査制御部５５３は、精査前に開閉された収納庫については今回の在高確認対象とするために、当該収納庫１２の表示部２３を点灯又は点滅させる。
【０１３０】
また、前回の精査から今回の精査までに開閉されていない収納庫１２は現金の在高が変わっていないこともあり得る。そのため、精査制御部５５３は、前回の精査が正しく行なわれている収納庫１２については前回の精査結果を援用し、そうでいない収納庫１２については今回の在高確認対象とするため、当該収納庫１２の表示部２３を点灯又は点滅させる。
【０１３１】
上記のようにすることで、全ての収納庫１２の開閉をさせることなく、現金在高が変化し得る収納庫１２のみを開閉させることができるので、現金バス装置１０の在高確認に係る利用者負担を軽減することができる。
【０１３２】
図１１に示すように、精査制御部５５３は、開閉確認部５５４、精査結果保持部５５５、前回精査確認部５５６、点灯制御部５５７、表示制御部５５８、精査結果表示部５５９を有する。
【０１３３】
開閉確認部５５４は、全閉検出センサ９６及び全開検出センサ９７からのセンサ信号に基づいて、開閉した収納庫１２を記憶部２６に保持するものである。また、精査開始の指示がある場合、開閉確認部５５４は、前回の精査から今回の精査までの間で、開閉した収納庫１２を確認するものである。
【０１３４】
精査結果保持部５５５は、今回得られた精査結果を収納庫１２毎に履歴として記憶部２６に保持するものである。例えば、精査結果保持部５５５は、各収納庫１２の在高（つまり、金種毎の小束紙幣、棒金の数量や現金の総額等）を保持すると共に、各収納庫１２の在高が正しいものか又は誤ったものかの情報も履歴として保持する。これにより、単に前回の収納庫１２の在高だけでなく、精査結果が正しいかどうかも管理することができる。
【０１３５】
例えば、収納される小束紙幣や棒金の金種等によっては、正しい数量検出ができない場合もある。また収納庫１２に異物が混入した場合には、誤った数量検出がなされることもある。このように、前回の精査が正しく行われなかった場合や、前回の精査から今回の精査までの間に何らかのエラーが発生した場合、精査結果保持部５５５は、精査結果に誤りがあったものとする。
【０１３６】
前回精査確認部５５６は、前回の精査から今回の精査までの間に、開閉がなされなかった収納庫１２の前回の精査結果を確認するものである。前回精査確認部５５６は、記憶部２６を参照して、開閉がなされなかった収納庫１２の前回の精査結果を読み出す。そして、前回精査確認部５５６は、当該収納庫１２の前回の精査結果が正当であるか否かを確認し、正しい場合には、当該収納庫１２の在高を前回の精査結果とし、正しくない場合、当該収納庫１２を今回の在高確認対象とする。
【０１３７】
点灯制御部５５７は、第１の実施形態と同様に、収納庫１２に付された表示部２３を表示制御するものである。
【０１３８】
表示制御部５５８は、第１の実施形態と同様に、在高確認部２５４の確認結果に基づいて、在高のある収納庫１２を示す情報を操作表示部１５の表示部１７に表示するものである。
【０１３９】
精査結果表示部５５９は、第１の実施形態と同様に、操作表示部１５の表示部１７に、精査結果を表示するものである。
【０１４０】
（Ｂ−２）第２の実施形態の動作
次に、第２の実施形態に係る現金バス装置１０における現金在高の確認動作を、図面を参照しながら説明する。
【０１４１】
図１２は、第２の実施形態の現金バス装置１０における現金在高の確認処理を示すフローチャートである。
【０１４２】
まず、利用者が現金バス装置１０の在高を精査する際、利用者は操作表示部１５を用いて所定の操作を行い、精査が開始する（Ｓ２０１）。
【０１４３】
制御部２５に精査開始の指示が与えられると、精査制御部５５３が、記憶部２６を参照して、今回の精査前に、開閉した収納庫１２があるか否かを確認する（Ｓ２０２）。
【０１４４】
ここで、精査制御部５５３は、全閉検出センサ９６及び全開検出センサ９７からのセンサ信号に基づいて、開閉した収納庫１２を記憶部２６に記憶しておく。
【０１４５】
そして、今回の精査開始指示が与えられると、前回の精査から今回の精査までの間に、開閉した収納庫１２があるか否かを確認する。開閉した収納庫１２がある場合、精査制御部５５３は、開閉した収納庫１２を特定する（Ｓ２０４）。
【０１４６】
一方、前回の精査から今回の精査までの間に、開閉していない収納庫１２については、精査制御部５５３が、記憶部２６を参照して、前回の精査結果を確認する（Ｓ２０３）。つまり、精査制御部５５３は、前回の精査が正しく行なわれたか否かを確認する。
【０１４７】
前回の精査結果が正しくない場合、精査制御部５５３は、前回の精査結果が正しくない収納庫１２を特定する（Ｓ２０４）。
【０１４８】
Ｓ２０４において、精査制御部５５３が在高のある収納庫１２を特定すると、精査制御部２５３は、在高のある収納庫１２に対応する表示部２３を点灯又は点滅させる（Ｓ２０５）。これにより、在高のある収納庫１２を利用者に認識させることができる。
【０１４９】
精査制御部５５３は、少なくとも在高のある収納庫１２のロックを解除させるための画面を表示部１７に表示させる（Ｓ２０６）。
【０１５０】
操作キーボード１９を介して利用者の選択指示が与えられると、精査制御部５５３は選択された収納庫１２のロックを解除する（Ｓ２０７）。
【０１５１】
利用者が収納庫１２を開状態にしてから収納庫１２を閉じる。収納庫１２の開状態から閉状態までに、現金バス装置１０の各種センサ群（小束セット検知センサ６６、左端検出ラインセンサ６７、左側帯検出ラインセンサ６８、右側帯検出ラインセンサ６９、右端検出ラインセンサ７０、棒金セット検出センサ７６、棒金検出ラインセンサ７７）は、当該収納庫１２の在高の確認及び収納されている小束紙幣又は棒金の数量を金種毎に確認して精査を行う（Ｓ２０８）。そして、精査制御部５５３は、収納庫１２が開状態となってから閉状態になると、当該収納庫１２の表示部２３の点灯又は点滅を止める。
【０１５２】
一方、Ｓ２０３において、前回の精査結果が正しい場合、精査制御部５５３は、前回の精査結果が正しい収納庫１２については、当該収納庫１２の前回の精査結果を記憶部２６から読み出して、前回の精査結果を今回の精査結果として用いる（Ｓ２０９）。
【０１５３】
精査制御部５５３は、在高のある収納庫１２については今回の精査結果を反映させ、在高のない収納庫１２については精査結果を「０」とするものを操作表示部１５の表示部１７に表示し（Ｓ２１０）、処理を終了する（Ｓ２１１）。
【０１５４】
（Ｂ−３）第２の実施形態の効果
以上のように、第２の実施形態によれば、精査前に開閉して現金在高が変わる可能性のある収納庫のみを表示部で点灯又は点滅させることができるため、利用者は全ての収納庫を開閉する負担がなくなる。
【０１５５】
また、第２の実施形態によれば、精査前に開閉していない収納庫については、正しく精査した前回の精査結果を今回の精査結果とすることで、利用者による操作時間が短縮できる。
【０１５６】
（Ｃ）他の実施形態
上述した実施形態においても本発明の種々の変形実施形態を説明したが、本発明は、以下のような他の変形実施形態についても適用することができる。
【０１５７】
（Ｃ−１）上述した第１及び第２の実施形態において、表示部２３は１個である場合を中心に例示した。しかし、複数個の表示部２３を備えるようにしてもよい。この場合、例えば、精査制御部は、複数個の表示部２３の間で、交互に点滅させるなどのように所定の点滅パターンで各表示部２３を点滅させるようにしても良い。
【０１５８】
（Ｃ−２）上述した第１及び第２の実施形態では、各収納庫の付近に設けられた表示部を点灯又は点滅させることで、在高確認を行わせる収納庫を視覚的に利用者に知らせる場合を例示した。これに加えて、精査制御部は、在高確認を行わせる収納庫を、例えば、音、音声、音響などで警報手段から出力させるようにしても良い。
【０１５９】
（Ｃ−３）上述した第１及び第２の実施形態では、小束紙幣、棒金の在高を検出する在高検出手段（センサ群）が、小束紙幣の長さや面積、棒金の面積等に基づいて検出するものである場合を例示した。しかし、収納庫に収納されている小束紙幣、棒金の在高を検出することができるのであれば、在高検出手段は、収納庫に収納される小束紙幣、棒金の質量に基づいて在高を検出するものであっても良い。
【０１６０】
（Ｃ−４）上述した第１及び第２の実施形態の現金バス装置は、複数の収納庫が縦に配列しているものである場合を例示した。しかし、複数の収納庫の配列は特に限定されるものではなく、現金バス装置が、例えば、１段分のスペースに２個の収納庫が横に配列し、さらに縦に複数段配列したものであっても良い。
【符号の説明】
【０１６１】
１０…現金バス装置、１１…現金バス装置本体、１２…収納庫１２、１５…操作表示部１５、２５…制御部、２６…記憶部、２２…ロック機構、２３…表示部、６６…小束セット検知センサ、６７…左端検出ラインセンサ、６８…左側帯検出センサ、６９…右側帯検出センサ、７０…右端検出センサ、７６…棒金セット検出センサ、７７…棒金検出ラインセンサ、９６…全回検出センサ、９７…全回検出センサ、
２５１…小束紙幣検出制御部、２５２…棒金検出制御部、２５３及び５５３…精査制御部、２５４…在高確認部、２５５及び５５７…点灯制御部、２５６及び５５８…表示制御部、２５７及び５５９…精査結果表示部、５５４…開閉確認部、５５５…精査結果保持部、５５６…前回精査確認部。
【図１】
2014160331.tif 000003
【図２】
2014160331.tif 000004
【図３】
2014160331.tif 000005
【図４】
2014160331.tif 000006
【図５】
2014160331.tif 000007
【図６】
2014160331.tif 000008
【図７】
2014160331.tif 000009
【図８】
2014160331.tif 000010
【図９】
2014160331.tif 000011
【図１０】
2014160331.tif 000012
【図１１】
2014160331.tif 000013
【図１２】
2014160331.tif 000014